(57)【要約】      （修正有）【課題】  生コンクリート打設時間の節減を図れる装置を提供する。【解決手段】  ミキサー車２２の生コンクリートを移動バケット２０に空けるための仲介バケット６と該仲介バケット６を案内するガイドレール７，８を有する支持枠とから成るスキップ装置２を備える。また、クレーン等により移動させる前記移動バケット２０のバケット受器３を、前記スキップ装置２の隣接位置に配置する。【選択図】  図４
2006103851.tif 000002
【特許請求の範囲】
【請求項１】
ミキサー車内の生コンクリートを移動バケットに投入するための仲介バケットと該仲介バケットを倒立させるスキップ装置を備えると共に、クレーン等により移動させる前記移動バケットのバケット受器を前記スキップ装置の隣接位置に配置したコンクリート打設時のバケット処理装置。
【発明の詳細な説明】
【技術分野】
【０００１】
本発明は、生コンクリート打設現場において、コンクリートミキサー車で運搬された生コンクリートを打設する際に用いるバケット処理装置に関するものである。
【背景技術】
【０００２】
生コンクリート打設現場において、コンクリートミキサー車からの生コンクリートを、移動バケットに空け、該移動バケットを打設個所へと移動させて当該打設作業を行う場合がある。
【発明の開示】
【発明が解決しようとする課題】
【０００３】
前記従来例の場合、移動バケットが打設個所からコンクリートミキサー車まで復帰するまでコンクリートミキサー車内の生コンクリートを空けることができない。
【０００４】
従って、コンクリートミキサー車からの生コンクリートを移動バケットに投入するために所要時間を要し、コンクリート打設サイクル時間上、生コンクリート投入に時間を要することになり、コスト高等様々な問題が生じる。
【０００５】
本発明は、斯様な従来のコンクリート打設作業に際しての欠点に着目し、総じて生コンクリート打設時間の節減を図ることのできる装置を提供すべく創案したものである。
【課題を解決するための手段】
【０００６】
ミキサー車内の生コンクリートを移動バケットに投入するための仲介バケットと該仲介バケットを倒立させるスキップ装置を備えると共に、クレーン等により移動させる前記移動バケットのバケット受器を前記スキップ装置の隣接位置に配置した構成とするのである。
【発明の効果】
【０００７】
本発明によれば、移動バケットの打設個所への移動中、コンクリートミキサー車から仲介バケットに生コンクリートを空けることができ、打設後に復帰してきた移動バケットはスキップ装置との関係でバケット受器によって定位置を確保されてスキップ装置の稼動によって直ちに仲介バケットからの生コンクリートの投入を行うことができるから、生コンクリート投入（打設）時間を節減し、全体的にコンクリート打設を能率的に行えるコンクリート投入装置を提供できる。
【実施例】
【０００８】
図面は本発明に係るコンクリート打設時のバケット処理装置の一実施例を示し、図１は一部欠截正面図、図２はスキップ装置の一部欠截正面図、図３は図２の一部欠截側面図、図４は図３の横断平面図である。
【０００９】
図中、１は装置基台で、基台１上にはスキップ装置２とバケット受器３を互いに隣接させて固定し、これらは前記スキップ装置２を構成する支持枠４の上端部に備えた取付ロープ５を図示省略したクレーンの旋回腕に取付けて、移動できるようにしてある。すなわち、ダム工事現場などの広い現場域にクレーンによって本件バケット処理装置Ａを適所に移動して、当該広い現場域でのコンクリート打設作業をより効率的に行うことができるのである。
【００１０】
前記スキップ装置２は、鋼材を互いに組付けて構成して前記基台１上に立設した前記支持枠４に仲介バケット６を上下動および倒立可能に組付けて成るもので、このスキップ装置２を構成する前記支持枠４の相対する側枠４ａ，４ａの内側に鋼材より成る一対の直路ガイドレール７，７を支持枠４の高さ方向のほぼ全域に存するようにして相対設して装置し、この直路ガイドレール７の高さ方向の中間部に、該レール７の一側に縦部８´を隣接位置させて、下部側の該縦部８´と上部側の横部８´´およびこれらの間に介在する曲部８´´´とで成る曲路ガイドレール８を配して直路ガイドレール７と同様に側枠４ａの内側に固着してある。
【００１１】
前記仲介バケット６は、前記側枠４ａ，４ａ間に介在させてこれ等ガイドレール７，８に組合わせたもので、仲介バケット６と前記側枠４ａとの間に該仲介バケット６を内側に係合させた方形枠状の移動枠９を配し、該移動枠９の相対する側部片９´，９´に回動自在に枢着して突設した上下一対のローラ１０，１１を前記直路ガイドレール７に転動自在に係合する一方、仲介バケット６底部の一側に突設した支軸１２を、前記側部片９´の前記下側ローラ１１に近接した上側において突設して前記側部片９´の受止孔１３に遊嵌させ、この支軸１２と同様に仲介バケット６の側板より突出させた転倒案内ローラ１４を前記曲路ガイドレール８に転動自在に係合させ、前記の通り、ガイドレール７，８乃至支持枠４に組合わせたものである。
【００１２】
また、仲介バケット６を前記支軸１２において組合わせた前記移動枠９の上部片９´´の中央には取付具１６を設け、該取付具１６に前記支持枠４の上部に装置した案内転子１７を経て前記基台１上に装置したウインチ１８からのロープ１９を結着し、ウインチ１８を操作することにより仲介バケット６を移動させ、いわゆるスキップ動作を行わせるようにしてある。
【００１３】
前記バケット受器３（実施例の形態乃至構造に限定する必要のないことは勿論である）は、スキップ装置２（の支持枠４）に隣接して配され、スキップ装置２の前記仲介バケット６が倒立状態において生コンクリートが該バケット６より排出される位置の直下に、移動バケット２０が配置されるようになっており、移動バケット２０は仲介バケット６の容量と同等分の容量を備えたものであることは勿論で、実施例はクレーンと連けいさせた取付ロープ５Ａの先端に備えたフックによって吊上げ、生コンクリート打設個所へと移動するようにしてある。
【００１４】
しかして、コンクリートミキサー車２２の排出口２３を支持枠４の側枠４ａ，４ａ間に上面開口を上方に向けた仲介バケット６上に位置させて該バケット６中にミキサー車２２側から生コンクリートを注入した後、ウインチ１８を駆動させて当該バケット６を上方へ引き上げると、バケット６は、直路ガイドレール７に上下のローラ１０，１１の係合によって上昇する移動枠９に底部側を支軸１２によって支持される一方、上部側に設けた転倒案内ローラ１４を前記ガイドレール７と別途の曲路ガイドレール８に係合してあるので、移動枠９の上昇によって転倒案内ローラ１４が曲路ガイドレール８に沿って移動し、この移動に伴って、仲介バケット６は支軸１２を中心に回動し倒伏し、当該位置に設定しておいたバケット受器３内に係合されて待機していた移動バケット２０中に前記コンクリートミキサー車２２から生コンクリートを投入することとなる。
【００１５】
そして、投入後、直ちにクレーンによって該移動バケット２０を所定の個所（例えば、コンクリート打設個所）へ移動させる一方、この移動中に、ウインチ１８の駆動により仲介バケット６を原位置に復帰させ、ミキサー車２２から前記と同様に生コンクリートを注入せしめ、この注入中に、所定の個所に生コンクリートを空けた前記移動バケット２０を再びバケット受器３内に係合待機させ、待機した移動バケット２０にコンクリートを注入した仲介バケット６をスキップさせて生コンクリートを投入し、これら一連の動作を繰り返すことにより、移動バケット２０が、例えば打設操作している間に仲介バケット６にコンクリートミキサー車２２から生コンクリートが投入されるため、移動バケット２０がバケット受器３に係合された時点で仲介バケット６より生コンクリートが直ちに移動バケット２０に移し替えられ、時間的な無駄を省くことができるのである。
【図面の簡単な説明】
【００１６】
【図１】一部欠截正面図。
【図２】スキップ装置の一部欠截正面図。
【図３】図２の一部欠截側面図。
【図４】図３の横断平面図。
【符号の説明】
【００１７】
２          スキップ装置
３          バケット受器
６          仲介バケット
１０，１１  ガイドレール
２０        移動バケット
【図１】
2006103851.tif 000003
【図２】
2006103851.tif 000004
【図３】
2006103851.tif 000005
【図４】
2006103851.tif 000006